(57)【要約】【課題】エラーの割合や映像の性質に基づいて、補間するデータを適応的に選択したエラー補間や、低画質映像への切り替えなどを適切に行うことが可能な放送信号受信装置を提供する。【解決手段】放送信号受信装置は、同一のコンテンツが異なる放送形式によって放送される第１放送信号及び第２放送信号を受信する。第１放送信号には高画質映像データが含まれ、第２放送信号には低画質映像データが含まれる。エラー検出手段は、高画質映像におけるエラーの割合をフレーム毎に検出し、映像判別手段は、高画質映像データに基づいて映像の性質を判別する。そして、映像切り替え手段は、エラーの割合及び映像の性質に基づいて、表示すべき映像を低画質映像へ切り替える。これにより、適切な状況において低画質映像への切り替えを行うことができ、主観的に見て違和感が少ない映像を表示させることが可能となる。【選択図】図１
2010154301.tif 000002
【特許請求の範囲】
【請求項１】
同一のコンテンツが異なる放送形式によって放送される、高画質映像データを含む第１放送信号及び低画質映像データを含む第２放送信号を受信する放送信号受信装置であって、
前記高画質映像データが形成する映像におけるエラーの割合をフレーム毎に検出するエラー検出手段と、
前記高画質映像データに基づいて、表示すべき映像の性質を判別する映像判別手段と、
前記エラーの割合及び前記映像の性質に基づいて、表示すべき映像を前記低画質映像データが形成する映像へ切り替える映像切り替え手段と、を備えることを特徴とする放送信号受信装置。
【請求項２】
前記映像判別手段は、前記映像が静止画であるか否かを判別し、
前記映像切り替え手段は、前記映像判別手段によって前記映像が静止画でないと判別された場合において、前記エラー検出手段によって検出された前記エラーの割合が所定値より大きい場合に、表示すべき映像を前記低画質映像が形成する映像へ切り替えることを特徴とする請求項１に記載の放送信号受信装置。
【請求項３】
前記高画質映像データが形成する映像のエラー部分に対して、前記高画質映像データに基づいた補間を行う高画質エラー補間手段と、
前記高画質映像データが形成する映像のエラー部分に対して、前記低画質映像データに基づいた補間を行う低画質エラー補間手段と、
前記エラーの割合及び前記映像の性質に基づいて、前記高画質エラー補間手段及び前記低画質エラー補間手段のいずれかを選択して、選択したエラー補間手段によって補間された映像へ切り替えるエラー補間選択手段と、を更に備えることを特徴とする請求項１又は２に記載の放送信号受信装置。
【請求項４】
前記高画質エラー補間手段は、
前記高画質映像データが形成する映像のエラー部分を、前記高画質映像データが形成する映像の過去フレームにおける前記エラー部分と同じ位置のデータによって補間する第１エラー補間手段と、
前記高画質映像データが形成する映像のエラー部分を、前記高画質映像データが形成する映像の現在フレームにおける前記エラー部分の周辺から生成したデータによって補間する第２エラー補間手段と、
前記高画質映像データが形成する映像のエラー部分を、前記高画質映像データが形成する映像における過去フレーム及びデコード済みの未来フレームの動きを考慮したデータによって補間する第３エラー補間手段と、を備え、
前記エラー補間選択手段は、前記エラーの割合及び前記映像の性質に基づいて、前記第１エラー補間手段、前記第２エラー補間手段、及び前記第３エラー補間手段のいずれかを選択することを特徴とする請求項３に記載の放送信号受信装置。
【請求項５】
前記映像判別手段は、前記映像が静止画であるか否かを判別し、
前記エラー補間選択手段は、前記映像判別手段によって前記映像が静止画であると判別された場合、前記エラー検出手段によって検出された前記エラーの割合に関わらず、前記第１エラー補間手段を選択する、或いは、前記高画質映像データを前記第１エラー補間手段による補間によって更新せずに保持し続けることを特徴とする請求項４に記載の放送信号受信装置。
【請求項６】
前記映像判別手段は、前記映像が静止画であるか否か、及び前記映像においてシーンチェンジが生じたか否かを判別し、
前記エラー補間選択手段は、前記映像判別手段によって、前記映像が静止画でないと判別され、且つ前記映像においてシーンチェンジが生じたと判別された場合において、前記エラー検出手段によって検出された前記エラーの割合が所定値以下の場合に、前記第２エラー補間手段を選択することを特徴とする請求項４又は５に記載の放送信号受信装置。
【請求項７】
前記エラー補間選択手段は、前記エラーが跨っているラインが所定数以下である場合にのみ、前記第２エラー補間手段を選択することを特徴とする請求項６に記載の放送信号受信装置。
【請求項８】
前記映像判別手段は、前記映像が静止画であるか否か、前記映像においてシーンチェンジが生じたか否か、及び前記映像にパンが用いられているか否かを判別し、
前記エラー補間選択手段は、前記映像判別手段によって、前記映像が静止画でないと判別され、且つ前記映像においてシーンチェンジが生じていないと判別され、尚且つ前記映像にパンが用いられていると判別された場合において、前記エラー検出手段によって検出された前記エラーの割合が所定値以下の場合に、前記第３エラー補間手段を選択することを特徴とする請求項４乃至７のいずれか一項に記載の放送信号受信装置。
【請求項９】
前記低画質エラー補間手段は、前記高画質映像データが形成する映像のエラー部分を、前記低画質映像データが形成する映像をスケーリングした映像における、前記エラー部分と同じ位置のデータによって補間することを特徴とする請求項３乃至８のいずれか一項に記載の放送信号受信装置。
【請求項１０】
前記映像判別手段は、前記映像が静止画であるか否か、前記映像においてシーンチェンジが生じたか否か、及び前記映像にパンが用いられているか否かを判別し、
前記エラー補間選択手段は、前記映像判別手段によって、前記映像が静止画でないと判別され、且つ前記映像においてシーンチェンジが生じていないと判別され、尚且つ前記映像にパンが用いられていないと判別された場合において、前記エラー検出手段によって検出された前記エラーの割合が所定値以下の場合に、前記低画質エラー補間手段を選択することを特徴とする請求項３乃至９のいずれか一項に記載の放送信号受信装置。
【請求項１１】
前記低画質エラー補間手段は、前記高画質映像データが形成する映像と前記低画質映像データが形成する映像とのコンテンツの内容が一致しているか否かを判断して、前記高画質映像データが形成する映像と前記低画質映像データが形成する映像とが時間的に同期しているか否かの検出結果に基づいて、前記補間を行うことを特徴とする請求項３乃至１０のいずれか一項に記載の放送信号受信装置。
【請求項１２】
前記低画質映像データに対して、フレームレート変換及び高画質化処理の少なくともいずれかの処理を行う映像処理手段を更に備え、
前記低画質エラー補間手段は、前記映像処理手段によって処理された前記低画質映像データに基づいて前記補間を行うことを特徴とする請求項３乃至１１のいずれか一項に記載の放送信号受信装置。
【請求項１３】
前記映像判別手段は、前記高画質映像データだけでなく、前記低画質映像データにも基づいて、表示すべき映像の性質を判別することを特徴とする請求項１乃至１２のいずれか一項に記載の放送信号受信装置。
【請求項１４】
前記高画質映像データは、１２セグの映像データであり、
前記低画質映像データは、ワンセグの映像データであることを特徴とする請求項１乃至１３のいずれか一項に記載の放送信号受信装置。
【請求項１５】
同一のコンテンツが異なる放送形式によって放送される、高画質映像データを含む第１放送信号及び低画質映像データを含む第２放送信号を受信する装置によって実行される放送信号受信方法であって、
前記高画質映像データが形成する映像におけるエラーの割合をフレーム毎に検出するエラー検出工程と、
前記高画質映像データに基づいて、表示すべき映像の性質を判別する映像判別工程と、
前記エラーの割合及び前記映像の性質に基づいて、表示すべき映像を前記低画質映像データが形成する映像へ切り替える映像切り替え工程と、を備えることを特徴とする放送信号受信方法。
【請求項１６】
同一のコンテンツが異なる放送形式によって放送される、高画質映像データを含む第１放送信号及び低画質映像データを含む第２放送信号を受信する装置によって実行される放送信号受信プログラムであって、
前記装置を、
前記高画質映像データが形成する映像におけるエラーの割合をフレーム毎に検出するエラー検出手段、
前記高画質映像データに基づいて、表示すべき映像の性質を判別する映像判別手段、
前記エラーの割合及び前記映像の性質に基づいて、表示すべき映像を前記低画質映像データが形成する映像へ切り替える映像切り替え手段、として機能させることを特徴とする放送信号受信プログラム。
【発明の詳細な説明】
【技術分野】
【０００１】
本発明は、放送信号を受信する機能を有する放送信号受信装置に関する。
【背景技術】
【０００２】
この種の技術が、例えば特許文献１及び２に記載されている。特許文献１には、固定向け放送と移動体向け放送とのうち、固定向け放送の受信を出来るだけ維持しながら映像音声の出力自体を維持して、その出力される映像音声の乱れを防ぐため、固定向け放送の一シーンの欠損部分に移動体向け放送の情報を連続させて表示する技術が提案されている。特許文献２には、エラーブロックに対するコンシールメントの性能を向上すべく、シーンチェンジやパン（パーン）などを検出して、過去のフレームや現在のフレームから補間データを生成して補間する技術が提案されている。
【０００３】
【特許文献１】特開２００６−３４００８６号公報
【特許文献２】特開２００６−２０３５９７号公報
【発明の開示】
【発明が解決しようとする課題】
【０００４】
ところで、従来から、日本の地上デジタルテレビジョン放送（以下、単に「地デジ」と呼ぶ。）では、１つの周波数（物理）チャンネルにおいて、伝送特性の異なる複数のサービスが運用されている。現在、ほとんどの放送局で、固定受信向けサービス（以下、「１２セグ」と呼ぶ。）と部分受信向けサービス（以下、「ワンセグ」と呼ぶ。）とを、番組内容が同一なコンテンツで放送（以下、「サイマル放送」と呼ぶ。）している。そのことから、例えば車載用の地デジ受信機では、１２セグの映像信号とワンセグの映像信号との受信状態によって、自動で編成チャンネル切り替え（サービス切り替え）を行う機能を搭載しているものが一般的となってきている。
【０００５】
ワンセグの映像（以下、「ワンセグ映像」と呼ぶ。）は、例えば携帯電話をターゲットとした画素数であるため、車載用のモニターではスケーリングした映像を表示するのが一般的であるが、このようにワンセグ映像を拡大して表示した場合、１２セグの映像（具体的にはハイビジョン映像或いは標準画質映像であり、以下「１２セグ映像」と呼ぶ。）と比較して画質が悪化する傾向にあった。このことから、受信状態が悪くても、なるべく１２セグ映像を表示する工夫が必要であると言える。その１つの方法として、１２セグ映像のエラーコンシールメント（エラー補正）などがある。
【０００６】
ここで、上記した特許文献１に記載された技術では、単純に、１２セグ映像の欠損部分にワンセグ映像を補間するのみであったため、ワンセグ映像にサービス切り替えを行ったほうが良い場合や、エラー補間をしていない１２セグ映像を出力し続けたほうが、主観的に見て違和感が少ない映像である場合があった。また、上記した特許文献２に記載された技術では、シーンチェンジやパンなどを検出して、過去のフレームや現在のフレームから補間データを生成して補間するというものであったため、エラーの割合が大きくなると検出漏れをしてしまう場合があった。その結果、シーンチェンジなどで、シーンチェンジ前の映像を補間してしまう可能性があった。また、基本的には１２セグの過去フレームや現在のフレームから生成したデータにて補間を行うために、シーンチェンジや動きが大きい映像、又は動きが一定的でない場合に、映像に違和感が生じてしまう場合があった。
【０００７】
本発明が解決しようとする課題は上記のようなものが例として挙げられる。本発明は、エラーの割合や映像の性質に基づいて、補間するデータを適応的に選択したエラー補間や、低画質映像への切り替えなどを適切に行うことが可能な放送信号受信装置、放送信号受信方法、及び放送信号受信プログラムを提供することを課題とする。
【課題を解決するための手段】
【０００８】
請求項１に記載の発明では、同一のコンテンツが異なる放送形式によって放送される、高画質映像データを含む第１放送信号及び低画質映像データを含む第２放送信号を受信する放送信号受信装置は、前記高画質映像データが形成する映像におけるエラーの割合をフレーム毎に検出するエラー検出手段と、前記高画質映像データに基づいて、表示すべき映像の性質を判別する映像判別手段と、前記エラーの割合及び前記映像の性質に基づいて、表示すべき映像を前記低画質映像データが形成する映像へ切り替える映像切り替え手段と、を備える。
【０００９】
請求項１５に記載の発明では、同一のコンテンツが異なる放送形式によって放送される、高画質映像データを含む第１放送信号及び低画質映像データを含む第２放送信号を受信する装置によって実行される放送信号受信方法は、前記高画質映像データが形成する映像におけるエラーの割合をフレーム毎に検出するエラー検出工程と、前記高画質映像データに基づいて、表示すべき映像の性質を判別する映像判別工程と、前記エラーの割合及び前記映像の性質に基づいて、表示すべき映像を前記低画質映像データが形成する映像へ切り替える映像切り替え工程と、を備える。
【００１０】
請求項１６に記載の発明では、同一のコンテンツが異なる放送形式によって放送される、高画質映像データを含む第１放送信号及び低画質映像データを含む第２放送信号を受信する装置によって実行される放送信号受信プログラムは、前記装置を、前記高画質映像データが形成する映像におけるエラーの割合をフレーム毎に検出するエラー検出手段、前記高画質映像データに基づいて、表示すべき映像の性質を判別する映像判別手段、前記エラーの割合及び前記映像の性質に基づいて、表示すべき映像を前記低画質映像データが形成する映像へ切り替える映像切り替え手段、として機能させる。
【発明を実施するための最良の形態】
【００１１】
本発明の１つの実施形態では、同一のコンテンツが異なる放送形式によって放送される、高画質映像データを含む第１放送信号及び低画質映像データを含む第２放送信号を受信する放送信号受信装置は、前記高画質映像データが形成する映像におけるエラーの割合をフレーム毎に検出するエラー検出手段と、前記高画質映像データに基づいて、表示すべき映像の性質を判別する映像判別手段と、前記エラーの割合及び前記映像の性質に基づいて、表示すべき映像を前記低画質映像データが形成する映像へ切り替える映像切り替え手段と、を備える。
【００１２】
上記の放送信号受信装置は、同一のコンテンツが異なる放送形式によって放送される第１放送信号及び第２放送信号を受信する。第１放送信号には高画質映像データが含まれ、第２放送信号には低画質映像データが含まれる。エラー検出手段は、高画質映像データが形成する映像（以下、「高画質映像」と呼ぶ。）におけるエラーの割合を、フレーム毎に検出する。映像判別手段は、高画質映像データに基づいて映像の性質を判別する。そして、映像切り替え手段は、エラーの割合及び映像の性質に基づいて、表示すべき映像を低画質映像データが形成する映像（以下、「低画質映像」と呼ぶ。）へ切り替える。これにより、適切な状況において低画質映像への切り替えを行うことができ、主観的に見て違和感が少ない映像を表示させることが可能となる。
【００１３】
上記の放送信号受信装置の一態様では、前記映像判別手段は、前記映像が静止画であるか否かを判別し、前記映像切り替え手段は、前記映像判別手段によって前記映像が静止画でないと判別された場合において、前記エラー検出手段によって検出された前記エラーの割合が所定値より大きい場合に、表示すべき映像を前記低画質映像が形成する映像へ切り替える。
【００１４】
この態様では、映像切り替え手段は、映像が静止画でない場合においてエラーの割合が所定値より大きい場合に、低画質映像へ切り替える。言い換えると、エラーの割合が所定値より大きくても、映像が静止画である場合には、低画質映像への切り替えを行わない。これにより、主観的に見て違和感が少ない映像を適切に表示させることが可能となる。
【００１５】
上記の放送信号受信装置の他の一態様では、前記高画質映像データが形成する映像のエラー部分に対して、前記高画質映像データに基づいた補間を行う高画質エラー補間手段と、前記高画質映像データが形成する映像のエラー部分に対して、前記低画質映像データに基づいた補間を行う低画質エラー補間手段と、前記エラーの割合及び前記映像の性質に基づいて、前記高画質エラー補間手段及び前記低画質エラー補間手段のいずれかを選択して、選択したエラー補間手段によって補間した映像へ切り替えるエラー補間選択手段と、を更に備える。
【００１６】
この態様では、エラー補間選択手段は、低画質映像への切り替えを行わない場合に、エラーの割合及び映像の性質に基づいて、高画質エラー補間手段及び低画質エラー補間手段のいずれかによって補間された映像に切り替える。これにより、映像の性質に応じたエラー補間を適切に実行することができ、主観的に見て違和感が少ない映像を適切に表示させることが可能となる。また、高画質映像の視聴時間を拡大することが可能となる。
【００１７】
上記の放送信号受信装置の他の一態様では、前記高画質エラー補間手段は、前記高画質映像データが形成する映像のエラー部分を、前記高画質映像データが形成する映像の過去フレームにおける前記エラー部分と同じ位置のデータによって補間する第１エラー補間手段と、前記高画質映像データが形成する映像のエラー部分を、前記高画質映像データが形成する映像の現在フレームにおける前記エラー部分の周辺から生成したデータによって補間する第２エラー補間手段と、前記高画質映像データが形成する映像のエラー部分を、前記高画質映像データが形成する映像における過去フレーム及びデコード済みの未来フレームの動きを考慮したデータによって補間する第３エラー補間手段と、を備え、前記エラー補間選択手段は、前記エラーの割合及び前記映像の性質に基づいて、前記第１エラー補間手段、前記第２エラー補間手段、及び前記第３エラー補間手段のいずれかを選択する。
【００１８】
この態様によれば、より効果的に、違和感が少ない映像を表示させることが可能となる。
【００１９】
上記の放送信号受信装置において好適には、前記映像判別手段は、前記映像が静止画であるか否かを判別し、前記エラー補間選択手段は、前記映像判別手段によって前記映像が静止画であると判別された場合、前記エラー検出手段によって検出された前記エラーの割合に関わらず、前記第１エラー補間手段を選択する、或いは、前記高画質映像データを前記第１エラー補間手段による補間によって更新せずに保持し続ける。これにより、高画質映像の視聴時間を、より拡大することが可能となる。
【００２０】
上記の放送信号受信装置において好適には、前記映像判別手段は、前記映像が静止画であるか否か、及び前記映像においてシーンチェンジが生じたか否かを判別し、前記エラー補間選択手段は、前記映像判別手段によって、前記映像が静止画でないと判別され、且つ前記映像においてシーンチェンジが生じたと判別された場合において、前記エラー検出手段によって検出された前記エラーの割合が所定値以下の場合に、前記第２エラー補間手段を選択する。これによっても、高画質映像の視聴時間を、より拡大することが可能となる。
【００２１】
好ましくは、前記エラー補間選択手段は、前記エラーが跨っているラインが所定数以下である場合にのみ、前記第２エラー補間手段を選択する。こうするのは、エラーが複数ラインに跨っていなければ、エラー部分の周辺から生成したデータを補間しても違和感が目立たないと言えるからである。
【００２２】
上記の放送信号受信装置において好適には、前記映像判別手段は、前記映像が静止画であるか否か、前記映像においてシーンチェンジが生じたか否か、及び前記映像にパンが用いられているか否かを判別し、前記エラー補間選択手段は、前記映像判別手段によって、前記映像が静止画でないと判別され、且つ前記映像においてシーンチェンジが生じていないと判別され、尚且つ前記映像にパンが用いられていると判別された場合において、前記エラー検出手段によって検出された前記エラーの割合が所定値以下の場合に、前記第３エラー補間手段を選択する。これによっても、高画質映像の視聴時間を、より拡大することが可能となる。
【００２３】
上記の放送信号受信装置において好適には、前記低画質エラー補間手段は、前記高画質映像データが形成する映像のエラー部分を、前記低画質映像データが形成する映像をスケーリングした映像における、前記エラー部分と同じ位置のデータによって補間する。これによっても、違和感が少ない映像を適切に表示させることができると共に、高画質映像の視聴時間を拡大することができる。
【００２４】
好ましくは、前記映像判別手段は、前記映像が静止画であるか否か、前記映像においてシーンチェンジが生じたか否か、及び前記映像にパンが用いられているか否かを判別し、前記エラー補間選択手段は、前記映像判別手段によって、前記映像が静止画でないと判別され、且つ前記映像においてシーンチェンジが生じていないと判別され、尚且つ前記映像にパンが用いられていないと判別された場合において、前記エラー検出手段によって検出された前記エラーの割合が所定値以下の場合に、前記低画質エラー補間手段を選択することができる。
【００２５】
更に好ましくは、前記低画質エラー補間手段は、前記高画質映像データが形成する映像と前記低画質映像データが形成する映像とのコンテンツの内容が一致しているか否かを判断して、前記高画質映像データが形成する映像と前記低画質映像データが形成する映像とが時間的に同期しているか否かの検出結果に基づいて、前記補間を行う。これにより、高画質映像と時間的に適切に同期している低画質映像における映像データを用いて、エラー補間を行うことが可能となる。
【００２６】
上記の放送信号受信装置の他の一態様では、前記低画質映像データに対して、フレームレート変換及び高画質化処理の少なくともいずれかの処理を行う映像処理手段を更に備え、前記低画質エラー補間手段は、前記映像処理手段によって処理された前記低画質映像データに基づいて前記補間を行う。
【００２７】
この態様によれば、低画質エラー補間手段による補間を行った場合における視聴上の違和感を、効果的に低減することが可能となる。具体的には、高画質映像のエラー部分に低画質映像を補間した場合に、映像の情報量（ビットレート）の違いなどから、補間した部分において映像の品質が変ってしまい違和感が生じてしまうことを適切に抑制することが可能となる。
【００２８】
上記の放送信号受信装置の他の一態様では、前記映像判別手段は、前記高画質映像データだけでなく、前記低画質映像データにも基づいて、表示すべき映像の性質を判別する。これにより、映像の性質に対する検出精度を向上させることができる。具体的には、高画質映像のエラーの割合が大きくなった場合にも、検出精度や検出率の低下を適切に抑制することが可能となる。
【００２９】
好適な例では、上記の放送信号受信装置は、地上デジタルテレビジョン放送の受信装置として構成され、高画質映像データとして１２セグの映像データを受信し、低画質映像データとしてワンセグの映像データを受信する。
【００３０】
本発明の他の観点では、同一のコンテンツが異なる放送形式によって放送される、高画質映像データを含む第１放送信号及び低画質映像データを含む第２放送信号を受信する装置によって実行される放送信号受信方法は、前記高画質映像データが形成する映像におけるエラーの割合をフレーム毎に検出するエラー検出工程と、前記高画質映像データに基づいて、表示すべき映像の性質を判別する映像判別工程と、前記エラーの割合及び前記映像の性質に基づいて、表示すべき映像を前記低画質映像データが形成する映像へ切り替える映像切り替え工程と、を備える。
【００３１】
また、本発明の更に他の観点では、同一のコンテンツが異なる放送形式によって放送される、高画質映像データを含む第１放送信号及び低画質映像データを含む第２放送信号を受信する装置によって実行される放送信号受信プログラムは、前記装置を、前記高画質映像データが形成する映像におけるエラーの割合をフレーム毎に検出するエラー検出手段、前記高画質映像データに基づいて、表示すべき映像の性質を判別する映像判別手段、前記エラーの割合及び前記映像の性質に基づいて、表示すべき映像を前記低画質映像データが形成する映像へ切り替える映像切り替え手段、として機能させる。
【００３２】
上記の放送信号受信方法及び放送信号受信プログラムによっても、主観的に見て違和感が少ない映像を表示させることが可能となる。
【実施例】
【００３３】
以下、図面を参照して本発明の好適な実施例について説明する。
【００３４】
［装置構成］
図１は、本実施例における放送信号受信装置１００の概略構成図を示す。放送信号受信装置１００は、例えば地上デジタルテレビジョン放送（地デジ）を受信して処理を行う装置である。一例としては、車載用の地デジ受信機が上げられる。放送信号受信装置１００は、同一のコンテンツが異なる放送形式によって放送されるハイビジョン放送若しくは標準画質放送（第１放送信号に相当する）と、ワンセグ放送（第２放送信号に相当する）とを受信して種々の処理を行う。この第１放送信号には１２セグ映像に相当する映像データ（以下、「１２セグ映像データ」と呼ぶ。）が含まれ、第２放送信号にはワンセグ映像に相当する映像データ（以下、「ワンセグ映像データ」と呼ぶ。）が含まれる。１２セグ映像データは高画質映像データに相当し、ワンセグ映像データは低画質映像データに相当する。なお、本明細書では、１２セグ映像に対してエラー補間した映像も含めて、「１２セグ映像」の文言を用いるものとする。
【００３５】
具体的には、放送信号受信装置１００は、主に、ＴＳ−Ｄｅｍｕｘ(Transport Stream-Demultiplexer)１１と、ＡＡＣ(Advanced Audio Coding)デコーダ１２と、Ｈ．２６４デコーダ１３と、ＭＰＥＧ２(Moving Picture Experts Group2)ビデオデコーダ１４と、サイマル放送判定部１５と、フレームバッファ１６、１７、１８と、適応エラー補間検出部２０と、エラー補間制御部３１と、適応エラー補間処理部４０と、出力切り替え部５０と、を備える。
【００３６】
ＴＳ−Ｄｅｍｕｘ１１は、入力されたＴＳ(Transport Stream）に対応するデータＤ１０を、ＰＥＳ(Packetized Elementary Stream)に分離する。そして、ＴＳ−Ｄｅｍｕｘ１１は、当該分離した後のデータＤ１１ａ、Ｄ１１ｂ、Ｄ１１ｃを、それぞれ、ＡＡＣデコーダ１２、Ｈ．２６４デコーダ１３、及びＭＰＥＧ２ビデオデコーダ１４に出力する。また、ＴＳ−Ｄｅｍｕｘ１１は、ＥＩＴ(Event Information Table)から番組名や番組情報などに対応するデータＤ１１ｄを、サイマル放送判定部１５に出力する。
【００３７】
ＡＡＣデコーダ１２、Ｈ．２６４デコーダ１３、及びＭＰＥＧ２ビデオデコーダ１４は、それぞれ、入力されたデータＤ１１ａ、Ｄ１１ｂ、Ｄ１１ｃに対してデコード処理を行い、当該デコード処理後のデータＤ１２、Ｄ１３ａ、Ｄ１４ａをフレームバッファ１６、１７、１８に出力する。データＤ１２は音声データであり、データＤ１３ａ、Ｄ１４ａは映像データである。具体的には、データＤ１３ａはワンセグ映像データに相当し、データＤ１３ｂは１２セグ映像データに相当する。更に、Ｈ．２６４デコーダ１３及びＭＰＥＧ２ビデオデコーダ１４は、このようなデコード処理と同時に、適応エラー補間の各検出に必要なＭＰＥＧ２（１２セグ映像に相当する）やＨ．２６４（ワンセグ映像に相当する）におけるシンタックスなどの情報を、それぞれデータＤ１３ｂ、Ｄ１４ｂとして、適応エラー補間検出部２０に出力する。
【００３８】
フレームバッファ１６は、音声データに対応するデータＤ１６ａ、Ｄ１６ｂを出力する。具体的には、フレームバッファ１６は、データＤ１６ａをサイマル放送判定部１５に対して出力する。フレームバッファ１７は、映像データ（ワンセグ映像データ）に対応するデータＤ１７ａ、Ｄ１７ｂを、それぞれ、出力切り替え部５０及び適応エラー補間処理部４０に出力する。フレームバッファ１８は、映像データに対応するデータＤ１８を出力切り替え部５０に出力する。具体的には、フレームバッファ１８は、適応エラー補間処理部４０から補間データＤ４３を取得して、ＭＰＥＧ２ビデオデコーダ１４から取得されたデータＤ１４ａ（１２セグ映像データ）を当該補間データＤ４３によって補間したデータＤ１８を、出力切り替え部５０に出力する。
【００３９】
サイマル放送判定部１５は、ＴＳ−Ｄｅｍｕｘ１１から取得されるＥＩＴの番組名や番組情報などのデータＤ１１ｄ、及びフレームバッファ１６から取得されるデータＤ１６ａ（音声データ）などに基づいて、受信された放送信号がサイマル放送か否かの判定を行う。そして、サイマル放送判定部１５は、この判定結果などをデータＤ１５として、適応エラー補間検出部２０に出力する。また、サイマル放送判定部１５は、フレームバッファ１６から取得されるデータＤ１６ａを用いて、１２セグとワンセグとの映像データ及び音声データの出力タイミングを合わせる処理を行う。
【００４０】
適応エラー補間検出部２０は、静止画検出部２１と、シーンチェンジ検出部２２と、パン検出部２３と、参照フレーム落ち検出部２４と、映像同期検出部２５とを備える。これらの各検出部は、Ｈ．２６４デコーダ１３やＭＰＥＧ２ビデオデコーダ１４から取得されたＭＰＥＧ２やＨ．２６４のシンタックス要素や、デコード処理された映像データ（ワンセグ映像データ及び１２セグ映像データ）に基づき生成した情報から、検出結果を算出する。詳しくは、適応エラー補間検出部２０は、ピクチャタイプ、マクロブロックタイプ、動きベクトルなどや、ＹＵＶデータ、マクロブロック単位でのエラーの有無などから、適応エラー補間の各検出を行う。そして、適応エラー補間検出部２０は、この検出結果をデータＤ２０として、エラー補間制御部３１に出力する。なお、適応エラー補間検出部２０は映像判別手段として機能する。
【００４１】
エラー補間制御部３１は、適応エラー補間検出部２０から得られた各検出結果や、サイマル放送の判定結果や、エラーの割合などに基づいて、１２セグ映像又はワンセグ映像から補間するデータを適応的に選択する制御や、１２セグ映像とワンセグ映像とを切り替える制御を行う。具体的には、エラー補間制御部３１は、１２セグ映像又はワンセグ映像から補間するデータを適応的に選択するための制御信号Ｄ３１ａを適応エラー補間処理部４０に出力すると共に、１２セグ映像とワンセグ映像とを切り替えるための制御信号Ｄ３１ｂを出力切り替え部５０に出力することで、このような制御を行う。
【００４２】
なお、エラー補間制御部３１は、上記したエラーの割合を、例えばＭＰＥＧ２ビデオデコーダ１４から取得する。当該エラーの割合は、１フレームを構成する全てのマクロブロック（ＭＰＥＧ２における規格であり、１６×１６ピクセルのブロックに相当する）において、正常なマクロブロックが占める割合に対応する。
【００４３】
適応エラー補間処理部４０は、ビデオスケーラ４１と、フレームバッファ４２と、加算器４３と、を備える。ビデオスケーラ４１は、フレームバッファ１６から取得されるデータＤ１７ｂ（ワンセグ映像データ）に対して、所望の画素サイズに合わせるためにスケーリング（拡大）する処理を行う。具体的には、ビデオスケーラ４１は、１２セグ映像の画素サイズに合わせるためにスケーリングする。フレームバッファ４２は、当該スケーリング処理後のデータを格納すると共に、これを加算器４３に出力する。加算器４３は、エラー補間制御部３１から取得される制御信号Ｄ３１ａに基づいて、スケーリング処理後の映像データ（ワンセグ映像データ）によって１２セグ映像データをエラー補間するために用いる補間データＤ４３を生成し、当該補間データＤ４３をフレームバッファ１８に出力する。なお、ビデオスケーラ４１によって、ワンセグ映像を１フレームごとスケーリングしなくても良く、後述するエラー補間に用いるワンセグ映像の部分のみを、スケーリングしても良い。
【００４４】
出力切り替え部５０は、エラー補間制御部３１から取得される制御信号Ｄ３１ｂに応じて、表示させる映像に用いる映像データの切り替えを行う。具体的には、出力切り替え部５０は、表示させる映像に用いる映像データを、フレームバッファ１７から取得されるデータＤ１７ａ及びフレームバッファ１８から取得されるデータＤ１８のいずれかに切り替えて、これに対応するデータＤ５０を出力する。
【００４５】
なお、上記したエラー補間制御部３１及び適応エラー補間処理部４０は、映像切り替え手段、高画質エラー補間手段、及び低画質エラー補間手段、並びにエラー補間選択手段として機能する。
【００４６】
次に、適応エラー補間検出部２０の各検出部における動作、処理について具体的に説明する。前述したように、適応エラー補間検出部２０は、静止画検出部２１と、シーンチェンジ検出部２２と、パン検出部２３と、参照フレーム落ち検出部２４と、映像同期検出部２５とを備える。
【００４７】
静止画検出部２１は、ＹＵＶ（画像）データやＭＰＥＧ２やＨ．２６４のシンタックス要素などに基づいて、映像が全体的に静止画（動きがない映像）であるか否かを検出する。静止画検出部２１は、ワンセグ映像データ及び１２セグ映像データの両方に対して、当該検出を行う（詳しくは、同期されたワンセグ映像データ及び１２セグ映像データに基づいて検出を行う）。こうするのは、１２セグ映像のエラーの割合が大きくなった場合に、検出精度や検出率の低下を防ぐためである。
【００４８】
シーンチェンジ検出部２２は、ＹＵＶ（画像）データやＭＰＥＧ２やＨ．２６４のシンタックス要素などに基づいて、全体的にシーンが変ったか否かを検出する。シーンチェンジ検出部２２は、ワンセグ映像データ及び１２セグ映像データの両方に対して、当該検出を行う（詳しくは、同期されたワンセグ映像データ及び１２セグ映像データに基づいて検出を行う）。こうするのは、１２セグ映像のエラーの割合が大きくなった場合に、検出精度や検出率の低下を防ぐためである。
【００４９】
パン検出部２３は、ＹＵＶ（画像）データやＭＰＥＧ２やＨ．２６４のシンタックス要素などに基づいて、全体的にパンしているか否かを検出する（全体的に同じ動きをしているか否かの検出だけでなく、ズームなどが行われているか否かの検出も含む）。パン検出部２３は、ワンセグ映像データ及び１２セグ映像データの両方に対して、当該検出を行う（詳しくは、同期されたワンセグ映像データ及び１２セグ映像データに基づいて検出を行う）。こうするのは、１２セグ映像のエラーの割合が大きくなった場合に、検出精度や検出率の低下を防ぐためである。
【００５０】
参照フレーム落ち検出部２４は、１２セグ映像において参照フレームが欠落した結果、誤った参照フレームからデコードされたか否かを検出する。
【００５１】
映像同期検出部２５は、ＹＵＶ（画像）データやＭＰＥＧ２やＨ．２６４のシンタックス要素などに基づいて、１２セグ映像とワンセグ映像とのコンテンツの内容が一致しているか否かを判断して、時間的に同期しているか否かを検出する。こうしている理由は以下の通りである。前述したように、サイマル放送判定部１５は、１２セグとワンセグの映像・音声の出力タイミングを合わせるための処理を行っている。しかしながら、１２セグとワンセグのフレームレートの違い、或いは、ワンセグが可変フレームレートであることから、当該処理だけでは、サイマル放送の１２セグ映像とワンセグ映像との出力タイミングが必ずしも一致するとは限らないと言える。そこで、本実施例では、映像同期検出部２５において、１２セグ映像とワンセグ映像とのコンテンツの内容が一致しているか否かの判断をさせて、時間的に同期しているか否かの検出を行わせている。
【００５２】
図２は、映像同期検出部２５における映像同期検出の具体例を示す。図２は、上に１２セグ映像を示しており、下にワンセグ映像を示している。基本的には、１２セグ映像よりもワンセグ映像のほうがフレームレートが低いので（詳しくは、１２セグ映像のフレームレートが３０（ｆｐｓ）であるのに対して、ワンセグ映像は１４〜１５（ｆｐｓ）であるので）、映像同期検出部２５は、ワンセグ映像がある場合にのみ映像データの比較を行う。
【００５３】
具体的には、映像同期検出部２５は、１２セグ映像データとワンセグ映像データとを比較した結果、映像データが所定値以上一致している場合には、１２セグ映像とワンセグ映像とが同期していると判断する。詳しくは、映像同期検出部２５は、１２セグ映像データと過去のワンセグ映像データとを比較した結果、映像データが所定値以上一致していなかった場合は、当該１２セグ映像データと次の（未来の）ワンセグ映像データとを比較する。例えば、映像同期検出部２５は、矢印Ａ１で示すように過去のワンセグ映像と比較した結果、映像データが所定値以上一致していなかった場合、矢印Ａ２で示すように次のワンセグ映像との比較を行う。なお、映像データが所定値以上一致した場合のワンセグ映像におけるフレームは、後述する、ワンセグ映像データに基づいたエラー補間を行う際の補間データの対象となる。
【００５４】
［本実施例における制御方法］
次に、本実施例において、前述したエラー補間制御部３１が行う制御方法について具体的に説明する。本実施例では、エラー補間制御部３１は、１２セグ映像におけるエラーの割合、及び適応エラー補間検出部２０が検出した映像の性質に応じて、１２セグ映像又はワンセグ映像から補間するデータを適応的に選択してエラー補間したり、１２セグ映像からワンセグ映像へ切り替えたりする。具体的には、エラー補間制御部３１は、エラーの割合及び映像の性質に応じて、１２セグ映像データに基づいたエラー補間、ワンセグ映像データに基づいたエラー補間、及び１２セグ映像からワンセグ映像への切り替え、のうちのいずれかを選択して実行する。
【００５５】
まず、１２セグ映像からワンセグ映像への切り替え方法について説明する。本実施例では、エラー補間制御部３１は、１２セグ映像にエラーがあった場合に、エラーの割合及び映像の性質に基づいて、表示すべき映像を、１２セグ映像からワンセグ映像へ切り替える。具体的には、エラー補間制御部３１は、静止画検出部２１によって映像が静止画でないと判定された場合において、エラーの割合が所定値より大きい場合に、ワンセグ映像への切り替えを行う。言い換えると、エラー補間制御部３１は、エラーの割合が所定値より大きくても、映像が静止画である場合には、ワンセグ映像への切り替えを行わない。こうするのは、映像が静止画である場合には、切り替えを行うよりも、１２セグ映像にてエラー補間した映像などを出力し続けたほうが、主観的に見て違和感が少ないからである。
【００５６】
更に、エラー補間制御部３１は、参照フレーム落ち検出部２４によって、１２セグ映像データが誤った参照フレームからデコードされたと判定された場合には、ワンセグ映像への切り替えを行う。こうするのは、たとえエラーの割合が低くても、誤った参照フレームからデコードされた１２セグ映像を出力するよりも、ワンセグ映像を出力するほうが、違和感が少ないからである。なお、１２セグ映像データが誤った参照フレームからデコードされていても、映像が静止画である場合には、エラー補間制御部３１は、このようなワンセグ映像への切り替えを行わない。この場合には、切り替えを行うよりも、１２セグ映像にてエラー補間した映像などを出力し続けたほうが、主観的に見て違和感が少ないからである。
【００５７】
なお、上記のように１２セグ映像からワンセグ映像へ切り替える場合、音声データを利用して、１２セグ映像のタイミングに合わせるように切り替えが行われる、つまり所謂シームレス切り替えが行われる。これにより、コンテンツの不連続が低減される。
【００５８】
次に、１２セグ映像データに基づいたエラー補間、及びワンセグ映像データに基づいたエラー補間について説明する。本実施例では、エラー補間制御部３１は、１２セグ映像にエラーがあった場合に、上記したようなワンセグ映像への切り替えを行う代わりに、表示すべき映像を、１２セグ映像のエラー部分に対してエラー補間した１２セグ映像に切り替える。具体的には、エラー補間制御部３１は、エラーの割合及び映像の性質に基づいて、表示すべき映像を、１２セグ映像データに基づいてエラー補間された映像、及びワンセグ映像データに基づいてエラー補間された映像のいずれかに切り替える。なお、上記した１２セグ映像におけるエラー部分は、１２ンセグ映像データに基づいて特定される。
【００５９】
詳しくは、エラー補間制御部３１は、１２セグ映像データに基づいたエラー補間として、下記の３つのエラー補間（以下では、これら３つのエラー補間を、「第１エラー補間」、「第２エラー補間」、及び「第３エラー補間」と呼ぶ。）のいずれかを選択して実行する。第１エラー補間は、１２セグ映像のエラー部分を、１２セグ映像の過去フレームにおける当該エラー部分と同じ位置のデータによって補間するエラー補間である。第２エラー補間は、１２セグ映像のエラー部分を、１２セグ映像の現在フレームにおける当該エラー部分の周辺から生成したデータによって補間するエラー補間である。第３エラー補間は、１２セグ映像のエラー部分を、１２セグ映像における過去フレーム及びデコード済みの未来フレームの動きを考慮したデータによって補間するエラー補間である。
【００６０】
この場合、エラー補間制御部３１は、エラーの割合及び映像の性質に基づいて、第１エラー補間、第２エラー補間、及び第３エラー補間のいずれかを選択する。具体的には、エラー補間制御部３１は、静止画検出部２１によって映像が静止画であると判定された場合、エラーの割合に関わらず、第１エラー補間を選択する。つまり、エラーの割合が所定値よりも大きくても、ワンセグ映像への切り替えを行わずに、第１エラー補間によって補間された映像に切り替える。この場合、エラー補間制御部３１は、１２セグ映像の過去フレームにおけるデータによって、エラー部分をエラー補間した映像を表示させる。
【００６１】
なお、静止画検出部２１によって映像が静止画であると判定された場合に、上記のように第１エラー補間を選択することに限定はされず、１２セグ映像のデータを更新せずに保持し続けても良い。つまり、映像が静止画の場合、第１エラー補間によりエラー部分を更新しても良いし、若しくは、このようなエラー補間自体を行わず、過去の１２セグの映像データ（エラーがなく、同様の静止画である）を更新せずに、そのまま表示し続けても良い。
【００６２】
これに対して、エラー補間制御部３１は、静止画検出部２１によって、映像が静止画でないと判別され、且つ映像においてシーンチェンジが生じたと判別された場合において、エラーの割合が所定値以下の場合に、第２エラー補間を選択する。つまり、エラー補間制御部３１は、１２セグ映像の現在フレームにおけるエラー部分周辺から生成したデータによって、エラー部分をエラー補間した映像を表示させる。この場合、エラー補間制御部３１は、エラーが跨っているラインが所定数以下である場合にのみ、第２エラー補間を選択することができる。言い換えると、エラー補間制御部３１は、エラーが複数ライン（地デジでは、一般的に１ライン（１６ピクセル）は１スライスとなる）に跨っていない場合にのみ、第２エラー補間を選択する。こうするのは、エラーが複数ラインに跨っていなければ、エラー部分の周辺から生成したデータを補間しても違和感が目立たなくなるという主観的な判断に基づくものである。
【００６３】
これに対して、エラー補間制御部３１は、静止画検出部２１によって、映像が静止画でないと判別され、且つ映像においてシーンチェンジが生じていないと判別され、尚且つ映像にパンが用いられていると判別された場合において、エラーの割合が所定値以下の場合に、第３エラー補間を選択する。つまり、エラー補間制御部３１は、１２セグ映像における過去フレーム及びデコード済みの未来フレームの動きを考慮したデータによって、エラー部分をエラー補間した映像を表示させる。
【００６４】
一方、エラー補間制御部３１は、上記したワンセグ映像データに基づいたエラー補間として、１２セグ映像のエラー部分を、ワンセグ映像をスケーリングした映像における当該エラー部分と同じ位置のデータによって補間するエラー補間（以下、「第４エラー補間」と呼ぶ。）を行う。具体的には、エラー補間制御部３１は、静止画検出部２１によって、映像が静止画でないと判別され、且つ映像においてシーンチェンジが生じていないと判別され、尚且つ映像にパンが用いられていないと判別された場合において、エラーの割合が所定値以下の場合に、第１乃至第３エラー補間を選択せずに、第４エラー補間を選択する。加えて、エラー補間制御部３１は、映像においてシーンチェンジが生じていても、エラーが複数ラインに跨っている場合には、前述したような第２エラー補間を選択せずに、第４エラー補間を選択する。
【００６５】
また、エラー補間制御部３１は、映像同期検出部２５における、１２セグ映像とワンセグ映像とが時間的に同期しているか否かの判断結果に基づいて、このような第４エラー補間を行う。つまり、エラー補間制御部３１は、１２セグ映像と時間的に適切に同期しているワンセグ映像における映像データを用いて、第４エラー補間を行う。このように映像同期検出部２５の判断結果を考慮に入れて第４エラー補間を行うことは、第４エラー補間への切り替え時において例えばシーンチェンジなどが生じた場合に特に効果がある。
【００６６】
なお、上記した第１乃至第４エラー補間は、１２セグ映像におけるマクロブロック単位にて実行される。したがって、１フレームの１２セグ映像に対して、例えば、第１乃至第４エラー補間のいずれか２つ以上のエラー補間が複数行われる場合もある。
【００６７】
次に、図３を参照して、本実施例における制御方法による効果について説明する。図３（ａ）は、本実施例における制御方法を実行しなかった場合（以下、「比較例における制御方法」と呼ぶ。）における、１２セグ映像とワンセグ映像との時間的な切り替わりの例を示している。詳しくは、図３（ａ）の上に受信率を示し、図３（ｂ）の下に１２セグ映像とワンセグ映像との切り替わりを示している。比較例における制御方法では、受信率に基づいて（詳しくは受信率と閾値とを比較する）、１２セグ映像とワンセグ映像との切り替えが行われる。なお、受信率は、受信装置におけるフロントエンドにてデータ（映像信号及び音声信号を含むデータ）を受信できた割合に相当し、前述したエラーの割合とは異なる。ただし、受信率とエラーの割合とは、ある程度の相関はある。
【００６８】
図３（ａ）に示すように、時刻ｔ１１で受信率が閾値以下となり、時刻ｔ１１以降の所定時間Ｔ１の間、受信率が継続して閾値以下となるため、時刻ｔ１１ａで１２セグ映像からワンセグ映像へ切り替えられる。この所定時間Ｔ１の間には、破線領域Ｅ１で示すように、崩れた映像が表示されることとなる。その後、時刻１３において受信率が一旦閾値よりも大きくなるが、所定時間継続して閾値よりも大きくならないため、ワンセグ映像から１２セグ映像へ切り替えられない。その後、時刻ｔ１３ａで受信率が閾値よりも大きくなり、時刻ｔ１３ａ以降の所定時間Ｔ３の間、受信率が継続して閾値よりも大きくなるため、時刻ｔ１４でワンセグ映像から１２セグ映像へ切り替えられる。
【００６９】
図３（ｂ）は、本実施例における制御方法を実行した場合における、１２セグ映像とワンセグ映像との時間的な切り替わりの例を示している。当該方法では、前述したように、エラーの割合及び映像の性質に応じて、１２セグ映像又はワンセグ映像から補間するデータを適応的に選択したエラー補間（第１乃至第４エラー補間のいずれかのエラー補間）、若しくは１２セグ映像からワンセグ映像への切り替えが行われる。
【００７０】
図３（ｂ）の破線領域Ｅ２で示すように、受信率が閾値以下となる時刻ｔ１１以降においても、１２セグ映像が継続して表示される。この場合、第１乃至第４エラー補間のいずれかのエラー補間が行われた１２セグ映像が表示される。この後、時刻ｔ１２において、例えばエラーの割合が所定値よりも大きくなるため、１２セグ映像からワンセグ映像へ切り替えられる。この場合、前述したようなシームレス切り替えが行われる。この後、時刻ｔ１３において１２セグ映像を表示可能になるため（例えばエラーの割合が所定値以下となるため）、ワンセグ映像から１２セグ映像へ切り替えられる。この場合にも、シームレス切り替えが行われる。更に、この後の、受信率が閾値以下となるような期間においても、破線領域Ｅ３で示すように、１２セグ映像が継続して表示される。この場合にも、第１乃至第４エラー補間のいずれかのエラー補間が行われた１２セグ映像が表示される。
【００７１】
このように、本実施例における制御方法によれば、比較例における制御方法と比較して、１２セグ映像の視聴時間を拡大することが可能となる。つまり、画質が良い映像の視聴時間を拡大することが可能となる。
【００７２】
［本実施例における処理］
次に、図４及び図５を参照して、本実施例における処理について具体的に説明する。
【００７３】
図４は、本実施例における全体処理を示すフローチャートである。この処理は、放送信号受信装置１００によって繰り返し実行される。
【００７４】
まず、ステップＳ１０１では、放送信号受信装置１００内のＨ．２６４デコーダ１３及びＭＰＥＧ２ビデオデコーダ１４が、それぞれ入力されたデータに対してデコード処理を行う。そして、処理はステップＳ１０２に進む。
【００７５】
ステップＳ１０２では、放送信号受信装置１００内の適応エラー補間検出部２０が、Ｈ．２６４デコーダ１３やＭＰＥＧ２ビデオデコーダ１４から取得されたＭＰＥＧ２やＨ．２６４のシンタックス要素や、デコード処理された映像データ（ワンセグ映像データ及び１２セグ映像データ）に基づき生成した情報から、検出結果を算出する。詳しくは、適応エラー補間検出部２０は、ピクチャタイプ、マクロブロックタイプ、動きベクトルなどや、ＹＵＶデータ、マクロブロック単位でのエラーの有無などから、適応エラー補間の各検出を行う。そして、処理はステップＳ１０３に進む。なお、このような処理は、基本的には、１２セグ映像のエラーの有無に関わらず、常時行われる。
【００７６】
ステップＳ１０３では、放送信号受信装置１００内のエラー補間制御部３１が、１２セグ映像にエラーがあるか否かを判定する。１２セグ映像にエラーがある場合（ステップＳ１０３；Ｙｅｓ）、処理はステップＳ１０４に進み、１２セグ映像にエラーがない場合（ステップＳ１０３；Ｎｏ）、処理はステップＳ１０１に戻る。
【００７７】
ステップＳ１０４では、放送信号受信装置１００内のエラー補間制御部３１が、１２セグ映像のエラー部分に対して、第１乃至第４エラー補間のいずれのエラー補間を行うかを決定し、決定されたエラー補間を実行するための制御を行う。そして、処理はステップＳ１０５に進む。ステップＳ１０５では、放送信号受信装置１００内の適応エラー補間処理部４０が、エラー補間制御部３１からの制御に応じたエラー補間処理を行う。そして、処理は終了する。
【００７８】
図５は、放送信号受信装置１００内のエラー補間制御部３１が行う処理を示すフローチャートである。
【００７９】
まず、ステップＳ２０１では、エラー補間制御部３１は、静止画検出部２１による検出結果に基づいて、映像が静止画であるか否かを判定する。静止画である場合（ステップＳ２０１；Ｙｅｓ）、処理はステップＳ２０２に進み、静止画でない場合（ステップＳ２０１；Ｎｏ）、処理はステップＳ２０３に進む。
【００８０】
ステップＳ２０２では、エラー補間制御部３１は、エラーの割合に関わらず、１２セグ映像のエラー部分を、１２セグ映像の過去フレームにおける当該エラー部分と同じ位置のデータによって補間するエラー補間（第１エラー補間）を行う。そして、処理は終了する。なお、エラー補間制御部３１は、映像が静止画である場合には、参照フレーム落ち検出部２４によって、１２セグ映像データが誤った参照フレームからデコードされたと判定されても、第１エラー補間を行うことができる。この場合には、１フレームごとエラー補間されることとなる。このようなエラー補間は、映像同期されたワンセグ映像から静止画を検出することにより実現される。また、上記のように第１エラー補間によってエラー部分の更新を行う代わりに、過去の１２セグの映像データをそのまま表示し続けても良い。
【００８１】
ステップＳ２０３では、エラー補間制御部３１は、１２セグ映像におけるエラーの割合が所定値以下であるか否かを判定する。エラーの割合が所定値以下である場合（ステップＳ２０３；Ｙｅｓ）、処理はステップＳ２０４に進む。これに対して、エラーの割合が所定値よりも大きい場合（ステップＳ２０３；Ｎｏ）、処理はステップＳ２１０に進む。この場合、エラー補間制御部３１は、ワンセグ映像への切り替えを行う（ステップＳ２１０）。そして、処理は終了する。なお、映像が静止画でない場合において、１２セグ映像データが誤った参照フレームからデコードされた場合には、エラーの割合に関わらず、このようなワンセグ映像への切り替えを行っても良い。
【００８２】
ステップＳ２０４では、エラー補間制御部３１は、静止画検出部２１による検出結果に基づいて、映像においてシーンチェンジが生じたか否かを判定する。シーンチェンジが生じた場合（ステップＳ２０４；Ｙｅｓ）、処理はステップＳ２０５に進み、シーンチェンジが生じていない場合（ステップＳ２０４；Ｎｏ）、処理はステップＳ２０７に進む。
【００８３】
ステップＳ２０５では、エラー補間制御部３１は、エラーが複数ラインに跨っていないか否か、言い換えるとエラーが跨っているラインが所定数以下であるか否かを判定する。エラーが複数ラインに跨っていない場合（ステップＳ２０５；Ｙｅｓ）、処理はステップＳ２０６に進み、エラーが複数ラインに跨っている場合（ステップＳ２０５；Ｎｏ）、処理はステップＳ２０９に進む。
【００８４】
ステップＳ２０６では、エラー補間制御部３１は、１２セグ映像のエラー部分を、１２セグ映像の現在フレームにおける当該エラー部分の周辺から生成したデータによって補間するエラー補間（第２エラー補間）を行う。こうしているのは、エラーが複数ラインに跨っていなければ、エラー部分の周辺から生成したデータを補間しても違和感が目立たなくなるという主観的な判断に基づくものである。以上のステップＳ２０６の処理が終了すると、処理は終了する。
【００８５】
なお、エラーが複数ラインに跨っていない場合にのみ、第２エラー補間を行うことに限定はされず、エラーが複数ラインに跨っていても、エラー部分の周辺における映像の性質によっては、エラー部分の周辺から生成したデータを用いて第２エラー補間を行っても良い。
【００８６】
ステップＳ２０７では、エラー補間制御部３１は、静止画検出部２１による検出結果に基づいて、映像にパンが用いられているか否かを判定する。つまり、映像が全体的に同じ動きをしているか否か、及びズームが用いられているか否かを判定する。パンが用いられている場合（ステップＳ２０７；Ｙｅｓ）、処理はステップＳ２０８に進む。ステップＳ２０８では、エラー補間制御部３１は、１２セグ映像のエラー部分を、１２セグ映像における過去フレーム及びデコード済みの未来フレームの動きを考慮したデータによって補間するエラー補間（第３エラー補間）を行う。そして、処理は終了する。
【００８７】
一方、パンが用いられていない場合（ステップＳ２０７；Ｎｏ）、処理はステップＳ２０９に進む。ステップＳ２０９では、エラー補間制御部３１は、１２セグ映像のエラー部分を、ワンセグ映像をスケーリングした映像における当該エラー部分と同じ位置のデータによって補間するエラー補間（第４エラー補間）を行う。そして、処理は終了する。
【００８８】
以上説明した処理によれば、ワンセグ映像への切り替え及びエラー補間を適切に実行することができ、主観的に見て違和感が少ない映像を表示させることが可能となる。また、１２セグ映像の視聴時間を拡大することが可能となる。
【００８９】
［変形例］
図６は、変形例における放送信号受信装置１０１の概略構成図を示す。放送信号受信装置１０１は、フレームレート変換部６１、高画質化処理部６２、及びフレームバッファ６３を有する点で、放送信号受信装置１００（図１参照）と異なる。なお、放送信号受信装置１００と同一の構成要素に対しては同一の符号を付し、その説明を省略する。
【００９０】
フレームレート変換部６１は、Ｈ．２６４デコーダ１３から取得されるデータＤ１３ａ（ワンセグ映像データ）に対して、１２セグ映像と同じフレーム（３０（ｆｐｓ））にフレームレート変換する。そして、フレームレート変換部６１は、フレームレート変換後のデータＤ６１を高画質化処理部６２に出力する。高画質化処理部６２は、フレームレート変換部６１から取得されるデータＤ６１に対して、エッジ強調やノイズ除去などの高画質化処理を行う。そして、高画質化処理部６２は、高画質化処理後のデータＤ６２をフレームバッファ６３に出力する。フレームバッファ６３は、高画質化処理部６２から取得されたデータＤ６２を格納すると共に、これをデータＤ６３として適応エラー補間処理部４０に出力する。
【００９１】
このように放送信号受信装置１０１を構成した場合、フレームレート変換及び高画質化処理が行われたワンセグ映像データに基づいて、前述した第４エラー補間が行われることとなる。これにより、第４エラー補間を行った場合における視聴上の違和感を、効果的に低減することが可能となる。具体的には、１２セグ映像のエラー部分にワンセグ映像を補間した場合に、映像の情報量（ビットレート）の違いなどから、補間した部分において映像の品質が変ってしまい違和感が生じてしまうことを適切に抑制することが可能となる。
【図面の簡単な説明】
【００９２】
【図１】本実施例における放送信号受信装置の概略構成図を示す。
【図２】映像同期検出部における映像同期検出の具体例を示す図である。
【図３】本実施例における制御方法による効果を説明するための図である。
【図４】全体処理を示すフローチャートである。
【図５】エラー補間制御部が行う処理を示すフローチャートである。
【図６】変形例における放送信号受信装置の概略構成図を示す。
【符号の説明】
【００９３】
１１  ＴＳ−Ｄｅｍｕｘ
１２  ＡＡＣデコーダ
１３  Ｈ．２６４デコーダ
１４  ＭＰＥＧ２ビデオデコーダ
１５  サイマル放送判定部
１６、１７、１８  フレームバッファ
２０  適応エラー補間検出部
２１  静止画検出部
２２  シーンチェンジ検出部
２３  パン検出部
２４  参照フレーム落ち検出部
２５  映像同期検出部
３１  エラー補間制御部
４０  適応エラー補間処理部
５０  出力切り替え部
１００、１０１  放送信号受信装置
【図１】
2010154301.tif 000003
【図２】
2010154301.tif 000004
【図３】
2010154301.tif 000005
【図４】
2010154301.tif 000006
【図５】
2010154301.tif 000007
【図６】
2010154301.tif 000008